(57)【要約】【課題】現在視聴中の番組の放送局情報に基づいて関連するＶＯＤコンテンツを１以上のサーバ間で検索して提供することが可能なコンテンツ提供システムを提供する。【解決手段】本発明のコンテンツ提供システムは、コンテンツ表示装置と、統括ＶＯＤサーバと、動画配信サーバと、少なくとも１台の個別ＶＯＤサーバとを備える。コンテンツ表示装置は、視聴中番組の放送局情報を含むＶＯＤ検索要求コマンドを統括ＶＯＤサーバへ送信し、統括ＶＯＤサーバは、ＶＯＤ検索要求コマンドに含まれる放送局情報が動画配信サーバ情報に含まれるか否かを判断し、ＶＯＤコンテンツ特定データまたは個別ＶＯＤサーバのＵＲＬ情報からなるＶＯＤ検索結果をコンテンツ表示装置に送信する。コンテンツ表示装置は、受信したＶＯＤ検索結果に応じて、ＶＯＤコンテンツ一覧表示画面の表示処理またはＶＯＤ検索要求コマンドの再送信処理を実行する。【選択図】図１
2012222808.tif 000002
【特許請求の範囲】
【請求項１】
コンテンツ表示装置と、統括ＶＯＤサーバと、動画配信サーバと、少なくとも１台の個別ＶＯＤサーバとを備えるコンテンツ提供システムであって、
前記コンテンツ表示装置は、
放送番組を表示する表示部と、
表示中の前記放送番組の放送局情報を記憶する記憶部と、
ＶＯＤ検索要求を入力する入力部と、
前記ＶＯＤ検索要求が入力された場合に前記放送局情報を含むＶＯＤ検索要求コマンドを生成し、かつ、ＶＯＤ検索結果を受信した場合に前記ＶＯＤ検索結果に応じてＶＯＤコンテンツ一覧表示画面の表示処理またはＶＯＤ検索要求コマンドの再送信処理を実行する制御部と、
前記ＶＯＤ検索要求コマンドを送信し、かつ、前記ＶＯＤ検索結果を受信する第１通信部と、を備え、
前記統括ＶＯＤサーバは、
前記ＶＯＤ検索要求を受信し、かつ、前記ＶＯＤ検索結果を送信する第２通信部と、
前記動画配信サーバに記憶されたＶＯＤコンテンツの情報を動画配信サーバ情報として記憶する動画配信サーバ情報記憶部と、
受信された前記ＶＯＤ検索要求コマンドに含まれる放送局情報と記憶された前記動画配信サーバ情報に含まれる放送局情報とを比較し、比較結果に応じてＶＯＤコンテンツ特定データまたは前記個別ＶＯＤサーバのＵＲＬ情報を前記ＶＯＤ検索結果として前記第２通信部に出力するＵＲＬ解析部と、を備え、
前記コンテンツ表示装置の前記制御部は、前記ＶＯＤ検索結果としてＶＯＤコンテンツ特定データを受信した場合に前記ＶＯＤコンテンツ一覧表示画面の表示処理を実行し、前記ＶＯＤ検索結果としてＵＲＬ情報を受信した場合に前記ＶＯＤ検索要求コマンドの再送信処理を実行する、ことを特徴とするコンテンツ提供システム。
【請求項２】
前記放送局情報は、前記放送番組のチャンネルに関する識別子であるサービスＩＤ、前記放送番組の提供路ネットワークに関連する識別子であるネットワークＩＤを含む、ことを特徴とする請求項１に記載のコンテンツ提供システム。
【請求項３】
コンテンツ表示装置と、統括ＶＯＤサーバと、動画配信サーバと、少なくとも１台の個別ＶＯＤサーバとを備えるコンテンツ提供システムにおける前記コンテンツ表示装置であって、
放送番組を表示する表示部と、
表示中の前記放送番組の放送局情報を記憶する記憶部と、
ＶＯＤ検索要求を入力する入力部と、
前記ＶＯＤ検索要求が入力された場合に前記放送局情報を含むＶＯＤ検索要求コマンドを生成し、かつ、ＶＯＤ検索結果を受信した場合に、前記ＶＯＤ検索結果がＶＯＤコンテンツ特定データであるときはＶＯＤコンテンツ一覧表示画面の表示処理を実行し、前記ＶＯＤ検索結果がＵＲＬ情報であるときはＶＯＤ検索要求コマンドの再送信処理を実行する制御部と、
生成された前記ＶＯＤ検索要求コマンドを前記統括ＶＯＤサーバに送信し、かつ、前記統括ＶＯＤサーバから前記ＶＯＤ検索結果を受信する第１通信部と、を備えることを特徴とするコンテンツ表示装置。
【請求項４】
コンテンツ表示装置と、統括ＶＯＤサーバと、動画配信サーバと、少なくとも１台の個別ＶＯＤサーバとを備えるコンテンツ提供システムにおける前記統括ＶＯＤサーバあって、
前記コンテンツ表示装置から放送局情報を含むＶＯＤ検索要求を受信し、かつ、ＶＯＤ検索結果を送信する第２通信部と、
前記動画配信サーバに記憶されたＶＯＤコンテンツの情報を動画配信サーバ情報として記憶する動画配信サーバ情報記憶部と、
受信された前記ＶＯＤ検索要求コマンドに含まれる前記放送局情報と記憶された前記動画配信サーバ情報に含まれる放送局情報とを比較し、前記ＶＯＤ検索要求コマンドに含まれる前記放送局情報が前記動画配信サーバ情報に含まれている場合はＶＯＤコンテンツ特定データを前記ＶＯＤ検索結果として前記第２通信部に出力し、前記ＶＯＤ検索要求コマンドに含まれる前記放送局情報が前記動画配信サーバ情報に含まれていない場合は前記個別ＶＯＤサーバのＵＲＬ情報を前記ＶＯＤ検索結果として前記第２通信部に出力するＵＲＬ解析部と、を備えることを特徴とする統括ＶＯＤサーバ。
【請求項５】
コンテンツ表示装置と、統括ＶＯＤサーバと、動画配信サーバと、少なくとも１台の個別ＶＯＤサーバとを備えるコンテンツ提供システムにおけるコンテンツ提供方法であって、
前記コンテンツ表示装置が、表示中の前記放送番組の放送局情報を記憶するステップと、
前記コンテンツ表示装置が、ＶＯＤ検索要求の入力を受け付けた場合に、前記放送局情報を含むＶＯＤ検索要求コマンドを生成するステップと、
前記コンテンツ表示装置が、生成された前記ＶＯＤ検索要求コマンドを前記統括ＶＯＤサーバに送信するステップと、
前記統括ＶＯＤサーバが、前記ＶＯＤ検索要求コマンドを受信するステップと、
前記統括ＶＯＤサーバが、受信された前記ＶＯＤ検索要求コマンドに含まれる放送局情報と、前記統括ＶＯＤサーバに記憶された動画配信サーバ情報に含まれる放送局情報とを比較し、比較結果に応じてＶＯＤコンテンツ特定データまたは前記個別ＶＯＤサーバのＵＲＬ情報を前記ＶＯＤ検索結果として生成するステップと、
前記統括ＶＯＤサーバが、前記ＶＯＤ検索結果を前記コンテンツ表示装置に送信するステップと、
前記コンテンツ表示装置が、前記ＶＯＤ検索結果を受信した場合に、前記ＶＯＤ検索結果がＶＯＤコンテンツ特定データであるときはＶＯＤコンテンツ一覧表示画面の表示処理を実行し、前記ＶＯＤ検索結果がＵＲＬ情報であるときはＶＯＤ検索要求コマンドの再送信処理を実行するステップとを備える、コンテンツ提供方法。
【発明の詳細な説明】
【技術分野】
【０００１】
本発明は、コンテンツ提供システム、コンテンツ表示装置、統括ＶＯＤサーバ及びコンテンツ提供方法に関し、更に詳しくは、コンテンツ表示装置で視聴中の番組に関連するＶＯＤ（Ｖｉｄｅｏ  Ｏｎ  Ｄｅｍａｎｄ）コンテンツを提供することが可能なコンテンツ提供システム、コンテンツ表示装置、統括ＶＯＤサーバ及びコンテンツ提供方法に関する。
【背景技術】
【０００２】
従来、番組情報を放送情報データベースに蓄積しておき、視聴中の番組情報の特徴量を放送情報データベースで特定して関連情報データベースを検索することにより、視聴中の番組情報に関連したコンテンツを取得して表示する装置がある（例えば、特許文献１参照）。
【先行技術文献】
【特許文献】
【０００３】
【特許文献１】特開２００７−１１６７１８号公報
【発明の概要】
【発明が解決しようとする課題】
【０００４】
しかしながら、上記従来の装置では、視聴中の番組情報の特徴量を検索キーワードとして、サーバに含まれる放送情報データベースのみから視聴中の番組情報に関連するコンテンツを取得するため、放送情報データベースに存在しないコンテンツは抽出できないという問題があった。
【０００５】
本発明は、上記問題を解決するためのものであり、現在視聴中の番組情報（番組情報の一部である放送局情報）に基づいて関連するＶＯＤコンテンツを１以上のサーバ間で検索して提供することが可能なコンテンツ提供システム、コンテンツ表示装置、統括ＶＯＤサーバ及びコンテンツ提供方法を提供することを目的とする。
【課題を解決するための手段】
【０００６】
本発明は、コンテンツ表示装置と、統括ＶＯＤサーバと、動画配信サーバと、少なくとも１台の個別ＶＯＤサーバとを備えるコンテンツ提供システムに関する。
【０００７】
本発明に係るコンテンツ表示装置は、放送番組を表示する表示部と、表示中の放送番組の放送局情報を記憶する記憶部と、ＶＯＤ検索要求を入力する入力部と、ＶＯＤ検索要求が入力された場合に放送局情報を含むＶＯＤ検索要求コマンドを生成し、かつ、ＶＯＤ検索結果を受信した場合にＶＯＤ検索結果に応じてＶＯＤコンテンツ一覧表示画面の表示処理またはＶＯＤ検索要求コマンドの再送信処理を実行する制御部と、ＶＯＤ検索要求コマンドを送信し、かつ、ＶＯＤ検索結果を受信する第１通信部とを備える。コンテンツ表示装置の制御部は、ＶＯＤ検索結果としてＶＯＤコンテンツ特定データを受信した場合にＶＯＤコンテンツ一覧表示画面の表示処理を実行し、ＶＯＤ検索結果としてＵＲＬ情報を受信した場合にＶＯＤ検索要求コマンドの再送信処理を実行する。
【０００８】
本発明に係る統括ＶＯＤサーバは、ＶＯＤ検索要求を受信し、かつ、ＶＯＤ検索結果を送信する第２通信部と、動画配信サーバに記憶されたＶＯＤコンテンツの情報を動画配信サーバ情報として記憶する動画配信サーバ情報記憶部と、受信されたＶＯＤ検索要求コマンドに含まれる放送局情報と記憶された動画配信サーバ情報に含まれる放送局情報とを比較し、比較結果に応じてＶＯＤコンテンツ特定データまたは個別ＶＯＤサーバのＵＲＬ情報をＶＯＤ検索結果として第２通信部に出力するＵＲＬ解析部とを備える。
【０００９】
また、本発明は、コンテンツ表示装置と、統括ＶＯＤサーバと、動画配信サーバと、少なくとも１台の個別ＶＯＤサーバとを備えるコンテンツ提供システムにおけるコンテンツ提供方法に関する。本発明に係るコンテンツ提供方法は、コンテンツ表示装置が、表示中の放送番組の放送局情報を記憶するステップと、コンテンツ表示装置が、ＶＯＤ検索要求の入力を受け付けた場合に、放送局情報を含むＶＯＤ検索要求コマンドを生成するステップと、コンテンツ表示装置が、生成されたＶＯＤ検索要求コマンドを統括ＶＯＤサーバに送信するステップと、統括ＶＯＤサーバが、ＶＯＤ検索要求コマンドを受信するステップと、統括ＶＯＤサーバが、受信されたＶＯＤ検索要求コマンドに含まれる放送局情報と、統括ＶＯＤサーバに記憶された動画配信サーバ情報に含まれる放送局情報とを比較し、比較結果に応じてＶＯＤコンテンツ特定データまたは個別ＶＯＤサーバのＵＲＬ情報をＶＯＤ検索結果として生成するステップと、統括ＶＯＤサーバがＶＯＤ検索結果をコンテンツ表示装置に送信するステップと、コンテンツ表示装置が、ＶＯＤ検索結果を受信した場合に、ＶＯＤ検索結果がＶＯＤコンテンツ特定データであるときはＶＯＤコンテンツ一覧表示画面の表示処理を実行し、ＶＯＤ検索結果がＵＲＬ情報であるときはＶＯＤ検索要求コマンドの再送信処理を実行するステップと、を備える。
【発明の効果】
【００１０】
本発明によれば、視聴中番組の放送局情報を含むＶＯＤ検索要求を所定の１のサーバに送信するだけで、所定の１のサーバ以外のサーバにおいても、容易に視聴中の番組に関連するＶＯＤコンテンツを検索することができる。
【図面の簡単な説明】
【００１１】
【図１】本発明の実施の形態１に係るコンテンツ提供システムの概要を示す図
【図２】同実施の形態に係るＴＶ受信装置の構成を示すブロック図
【図３】同実施の形態に係る統括ＶＯＤサーバの構成を示すブロック図
【図４】同実施の形態に係るＴＶ受信装置の制御部１０２のＶＯＤコンテンツ検索処理を示すフローチャート
【図５】同実施の形態に係る統括ＶＯＤサーバのＵＲＬ解析部３１２のＶＯＤコンテンツ検索処理を示すフローチャート
【図６】同実施の形態に係る統括ＶＯＤサーバの動画配信サーバ情報記憶部３１３が記憶する動画配信サーバ情報の一例を示す図
【図７】同実施の形態に係るＴＶ受信装置の表示部１０４が表示するＶＯＤコンテンツ一覧表示画面７００の一例を示す図
【発明を実施するための形態】
【００１２】
以下、本発明を実施するための形態について、図面を参照しながら説明する。
【００１３】
（実施の形態１）
図１は、本発明の実施の形態１に係るコンテンツ提供システムの概要を示す図である。コンテンツ提供システムは、コンテンツ表示装置と、統括ＶＯＤサーバ３００と、個別ＶＯＤサーバ１（４００）〜個別ＶＯＤサーバＮ（５００）とを備える。ここで、本実施の形態では、コンテンツ表示装置をＴＶ受信装置１００として説明する。ＴＶ受信装置１００、統括ＶＯＤサーバ３００、個別ＶＯＤサーバ１（４００）〜個別ＶＯＤサーバＮ（５００）は有線または無線のネットワークを介して接続されており、ＴＶ受信装置１００は、入力装置２００からのＶＯＤ検索要求またはＶＯＤ送信要求に応じて、統括ＶＯＤサーバ３００、個別ＶＯＤサーバ１（４００）〜個別ＶＯＤサーバＮ（５００）にアクセスし、関連するＶＯＤコンテンツの検索、ＶＯＤコンテンツ一覧表示画面の表示、ＶＯＤコンテンツの再生を行う。なお、統括ＶＯＤサーバ３００は、入力装置２００からＶＯＤ検索要求が入力された際に、ＴＶ受信装置１００が最初にアクセスするサーバである。また、個別ＶＯＤサーバ１（４００）〜個別ＶＯＤサーバＮ（５００）は、ＴＶ受信装置１００が、統括ＶＯＤサーバ３００から送信されるＶＯＤ検索結果の受信後にアクセス可能となるサーバである。
【００１４】
まず、図２を用いて、コンテンツ表示装置であるＴＶ受信装置１００を説明する。図２は、本発明の実施の形態１に係るＴＶ受信装置１００の構成を示すブロック図である。ＴＶ受信装置１００は、受信部１０１と、制御部１０２と、記憶部１０３と、表示部１０４と、通信部１０５と、入力部１０６を備える。
【００１５】
受信部１０１には、アンテナ（図示せず）で受信されたデジタル放送信号が入力され、受信部１０１は、入力されたデジタル放送信号を復号してトランスポートストリームを生成する。そして、受信部１０１は、トランスポートストリームをＡＶストリームと番組情報に分離して制御部１０２へ出力する。
【００１６】
制御部１０２は、受信部１０１から入力された番組情報を記憶部１０３に記憶させるとともに、現在視聴中の番組情報を記憶させる。ここで現在視聴中の番組情報は、サービスＩＤ、ネットワークＩＤ、イベントＩＤから構成される。サービスＩＤは、放送事業者が編成するチャンネル（サービス）に関連する識別子であって、ＳＤＴ（Ｓｅｒｖｉｃｅ  Ｄｅｓｃｒｉｐｔｉｏｎ  Ｔａｂｌｅ）に含まれる。ネットワークＩＤは、提供路ネットワークに関連する識別子であって、ＮＩＴ（Ｎｅｔｗｏｒｋ  Ｉｎｆｏｒｍａｔｉｏｎ  Ｔａｂｌｅ）に含まれる。イベントＩＤは、番組（イベント）に関連する識別子であって、ＥＩＴ（Ｅｖｅｎｔ  Ｉｎｆｏｒｍａｔｉｏｎ  Ｔａｂｌｅ）に含まれる。そして、制御部１０２は、受信部１０１から入力されたＡＶストリームをデコードして、映像信号を表示部１０４に出力し、音声信号を音声出力部（図示せず）に出力する。
【００１７】
また、制御部１０２は、入力部１０６からＶＯＤ検索要求が入力された場合、ＶＯＤ検索要求コマンドを生成して通信部１０５に出力する。このＶＯＤコンテンツ検索処理については、後ほど図４を用いて詳述する。
【００１８】
更に、制御部１０２は、入力部１０６からＶＯＤ送信要求が入力された場合、ＶＯＤ送信要求コマンドを生成して通信部１０５に出力する。また、制御部１０２は、通信部１０５から入力されたＶＯＤコンテンツのＡＶストリームを表示部１０４及び音声出力部（図示せず）へ出力して所望のＶＯＤコンテンツを再生する。なお、制御部１０２は、ＴＶ受信装置１００が備える専用の処理回路によって、または、プロセッサがメモリ上に展開されたプログラムを実行することによって実現可能である。
【００１９】
記憶部１０３は、制御部１０２から入力された番組情報及び現在視聴中の番組情報を記憶する。なお、記憶部１０３は、メモリやハードディスク等の記憶装置に相当する。
【００２０】
表示部１０４は、プラズマディスプレイ、液晶ディスプレイ等の表示装置であって、制御部１０２から入力された映像信号を表示する。なお、本実施の形態では、表示部１０４をＴＶ受信装置１００の構成要素としているが、表示部１０４をＴＶ受信装置１００から分離してもよい。この場合、ＴＶ受信装置１００は表示制御部（図示せず）を具備し、表示制御部（図示せず）は、制御部１０２から入力された映像信号を外部の表示部１０４へ出力する構成となる。
【００２１】
通信部１０５は、制御部１０２から入力されたＶＯＤ検索要求コマンドまたはＶＯＤ送信要求コマンドを統括ＶＯＤサーバ３００、もしくは、個別ＶＯＤサーバ１（４００）〜個別ＶＯＤサーバＮ（５００）のいずれかに送信する。また、統括ＶＯＤサーバ３００、もしくは、個別ＶＯＤサーバ１（４００）〜個別ＶＯＤサーバＮ（５００）のいずれかから、ＶＯＤ検索結果またはＶＯＤコンテンツを受信し、受信したＶＯＤコンテンツのＡＶストリームを制御部１０２へ出力する。
【００２２】
入力部１０６は、入力装置２００からＶＯＤ検索要求またはＶＯＤ送信要求を受信する。本実施の形態では、入力装置２００としてリモートコントローラを想定し、ＶＯＤ起動キー２０１の操作でＶＯＤ検索要求を入力し、十字キー（図示せず）及び決定キー（図示せず）の操作で所望のＶＯＤコンテンツに対するＶＯＤ送信要求を入力しているが、入力装置２００は携帯電話端末、タッチスクリーンを有する携帯端末等であってもよい。
【００２３】
次に、図３を用いて、統括ＶＯＤサーバ３００を説明する。図３は、本発明の実施の形態１に係る統括ＶＯＤサーバ３００の構成を示すブロック図である。統括ＶＯＤサーバ３００は、コンテンツ管理サーバ３１０と動画配信サーバ３２０とを備える。コンテンツ管理サーバ３１０は、通信部３１１と、ＵＲＬ解析部３１２と、動画配信サーバ情報記憶部３１３とを含み、動画配信サーバ３２０は、通信部３２１と、配信制御部３２２と、ＶＯＤコンテンツ記憶部３２３とを含む。まずコンテンツ管理サーバ３１０の各構成要素について説明した後、動画配信サーバ３２０の各構成要素について説明する。
【００２４】
コンテンツ管理サーバ３１０の通信部３１１は、ＴＶ受信装置１００の通信部１０５からＶＯＤ検索要求コマンドを受信し、ＵＲＬ解析部３１２へ出力する。また、通信部３１１は、ＵＲＬ解析部３１２から出力されるＶＯＤ検索結果をＴＶ受信装置１００に送信する。
【００２５】
ＵＲＬ解析部３１２は、入力されたＶＯＤ検索要求コマンドを解析し、ＶＯＤ検索要求コマンドに記述された放送局情報（サービスＩＤとネットワークＩＤで特定される放送局の情報）が、動画配信サーバ情報記憶部３１３に記憶されている動画配信サーバ情報にあるか否かを判断する。ＵＲＬ解析部３１２は、ＶＯＤ検索要求コマンドに記述された放送局情報が動画配信サーバ情報にあると判断した場合には、対応するＶＯＤコンテンツ特定データをＶＯＤ検索結果として通信部３１１を介してＴＶ受信装置１００の通信部１０４に送信する。一方、ＵＲＬ解析部３１２は、ＶＯＤ検索要求コマンドに記述された放送局情報が動画配信サーバ情報にないと判断した場合には、動画配信サーバ情報に記載された個別ＶＯＤサーバのＵＲＬをＶＯＤ検索結果として通信部３１１を介してＴＶ受信装置１００の通信部１０４に送信する。本処理については、後ほど図５を用いて詳述する。なお、ＵＲＬ解析部３１２は、コンテンツ管理サーバ３１０が備えるプロセッサが、メモリ上に展開されたプログラムを実行することによって実現可能である。
【００２６】
動画配信サーバ情報記憶部３１３は、動画配信サーバ３２０のＶＯＤコンテンツ記憶部３２３に記憶されたＶＯＤコンテンツの情報を動画配信サーバ情報として記憶する。ここで、図６に示すように、動画配信サーバ情報６００は、放送局情報６０１、ＶＯＤコンテンツ情報６０２、ＶＯＤコンテンツのＵＲＬ情報６０３から構成される。放送局情報６０１は、サービスＩＤとネットワークＩＤで特定される放送局の情報である。ＶＯＤコンテンツ情報６０２は、ＶＯＤコンテンツのタイトルや詳細情報である。ＶＯＤコンテンツのＵＲＬ情報６０３は、ＶＯＤコンテンツの取得先のＵＲＬを示す情報である。なお、動画配信サーバ情報記憶部３１３は、コンテンツ管理サーバ３１０が備えるメモリやハードディスク等の記憶装置によって実現可能である。
【００２７】
動画配信サーバ３２０の通信部３２１は、ＴＶ受信装置１００の通信部１０５からＶＯＤ送信要求コマンドを受信し、配信制御部３２２へ出力する。また、通信部３２１は、配信制御部３２２から出力されるＶＯＤコンテンツをＴＶ受信装置１００に送信する。
【００２８】
配信制御部３２２は、入力されたＶＯＤ送信要求コマンドを解析し、対応するＶＯＤコンテンツをＶＯＤコンテンツ記憶部３２３から取得して、所定パケットに分割し、通信部３１１を介してＴＶ受信装置１００の通信部１０４に送信させる。ＶＯＤコンテンツ記憶部３２３は、ＶＯＤコンテンツを記憶する。なお、ＵＲＬ解析部３１２は、動画配信サーバ３２０が備えるプロセッサが、メモリ上に展開されたプログラムを実行することによって実現可能である。また、ＶＯＤコンテンツ記憶部３２３は、動画配信サーバ３２０が備えるメモリやハードディスク等の記憶装置によって実現可能である。
【００２９】
ここで、図４に示すフローチャートを用いてＴＶ受信装置１００の制御部１０２が実行するＶＯＤコンテンツ検索処理について説明する。
【００３０】
制御部１０２は、入力部１０６を介してユーザからＶＯＤ検索要求が入力されたか否かを判断する（ステップＳ１４０１）。制御部１０２が、ＶＯＤ検索要求が入力されていないと判断した場合は（ステップＳ１４０１で「ＮＯ」）、ＶＯＤコンテンツ検索処理を終了する。
【００３１】
一方、制御部１０２が、ＶＯＤ検索要求が入力されたと判断した場合は（ステップＳ１４０１で「ＹＥＳ」）、ＶＯＤ検索要求コマンドを生成する（ステップＳ１４０２）。ＶＯＤ検索要求コマンドは、現在視聴中の放送局情報（サービスＩＤとネットワークＩＤで特定される放送局の情報であって、現在視聴中の番組情報の一部である）を含むコマンドであって、「ｈｔｔｐｓ：／／統括ＶＯＤサーバ３００のＵＲＬ／？サービスＩＤ＝（現在視聴中の番組のサービスＩＤ）  ＆  ネットワークＩＤ＝（現在視聴中の番組のネットワークＩＤ）」のようなＨＴＴＰコマンドになる。
【００３２】
制御部１０２は、ステップＳ１４０３で生成したＶＯＤ検索要求コマンドを、通信部１０５を介して統括ＶＯＤサーバ３００の通信部３１１へ送信する（ステップＳ１４０３）。そして、統括ＶＯＤサーバ３００の通信部３１１からＶＯＤ検索結果を受信したか否かを判断し（ステップＳ１４０４）、ＶＯＤ検索結果を受信するまで（ステップＳ１４０４で「ＮＯ」）待機する。
【００３３】
制御部１０２は、統括ＶＯＤサーバ３００の通信部３１１からＶＯＤ検索結果を受信したと判断した場合（ステップＳ１４０４で「ＹＥＳ」）、ＶＯＤ検索結果がＶＯＤコンテンツ特定データであるかＵＲＬ情報であるか否かを判断する（ステップＳ１４０５）。ＶＯＤ検索結果がＶＯＤコンテンツ特定データである場合は（ステップＳ１４０５で「ＹＥＳ」）、受信したＶＯＤコンテンツ特定データからＶＯＤコンテンツ一覧表示画面を生成して表示部１０４に表示させる（ステップＳ１４０６）。ここで、ＶＯＤ検索結果として受信したＶＯＤコンテンツ特定データは、放送局情報６０１、ＶＯＤコンテンツ情報６０２、ＶＯＤコンテンツのＵＲＬ情報６０３を含むデータであり、制御部１０２は、このＶＯＤコンテンツ特定データを用いてＶＯＤコンテンツ一覧表示画面を生成して表示する。
【００３４】
一方、ＶＯＤ検索結果がＶＯＤコンテンツ特定データでない場合、すなわちＶＯＤ検索結果がＵＲＬ情報である場合は（ステップＳ１４０５で「ＮＯ」）、制御部１０２は、ＶＯＤ検索結果に含まれるＵＲＬで指定される個別ＶＯＤサーバに対してＶＯＤ検索要求コマンドを送信させる（ステップＳ１４０７）。このステップＳ１４０７で送信されるＶＯＤ検索要求コマンドは、「ｈｔｔｐｓ：／／個別ＶＯＤサーバのＵＲＬ／？サービスＩＤ＝（現在視聴中の番組のサービスＩＤ）  ＆  ネットワークＩＤ＝（現在視聴中の番組のネットワークＩＤ）」のようなＨＴＴＰコマンドになる。そして、個別ＶＯＤサーバからＶＯＤ検索結果を受信するまで待機し、個別ＶＯＤサーバからＶＯＤ検索結果としてＶＯＤコンテンツ特定データを受信するまで複数の個別ＶＯＤサーバに対してステップＳ１４０４、ステップＳ１４０５、ステップＳ１４０７の処理を繰り返し、ある個別ＶＯＤサーバからＶＯＤ検索結果としてＶＯＤコンテンツ特定データを受信したときに初めてＶＯＤコンテンツ一覧表示画面を表示させる（ステップＳ１４０４、ステップＳ１４０５、ステップＳ１４０６、ステップＳ１４０７）。
【００３５】
次に、図５に示すフローチャートを用いて統括ＶＯＤサーバ３００のＵＲＬ解析部３１２が実行するＶＯＤコンテンツ検索処理について説明する。
【００３６】
ＵＲＬ解析部３１２は、通信部３１１を介してＴＶ受信装置１００からＶＯＤ検索要求コマンドが受信されたか否かを判断する（ステップＳ１５０１）。ＵＲＬ解析部３１２が、ＶＯＤ検索要求コマンドが受信されていないと判断した場合は（ステップＳ１５０１で「ＮＯ」）、ＶＯＤコンテンツ検索処理を終了する。
【００３７】
一方、ＵＲＬ解析部３１２は、ＶＯＤ検索要求コマンドが受信されたと判断した場合は（ステップＳ１５０１で「ＹＥＳ」）、動画配信サーバ情報記憶部３１３に記憶された動画配信サーバ情報６００に含まれる放送局情報６０１と、ＶＯＤ検索要求コマンドに含まれる放送局情報とを比較する（ステップＳ１５０２）。そして、ＶＯＤ検索要求コマンドに含まれる放送局情報が動画配信サーバ情報６００に含まれる放送局情報６０１に含まれている場合は（ステップＳ１５０３で「ＹＥＳ」）、ＵＲＬ解析部３１２は、対応する放送局情報６０１、ＶＯＤコンテンツ情報６０２、ＶＯＤコンテンツのＵＲＬ情報６０３からなるＶＯＤコンテンツ特定データをＶＯＤ検索結果として通信部３１１を介してＴＶ受信装置１００の通信部１０５へ送信する（ステップＳ１５０４）。例えば、ＴＶ受信装置１００において現在視聴中の番組が「Ａ放送局」の番組である場合は、ＵＲＬ解析部３１２には、ＶＯＤ検索要求コマンドとして「Ａ放送局」の放送局情報を含むＨＴＴＰコマンドが入力される。ＵＲＬ解析部３１２は、動画配信サーバ情報６００に含まれる放送局情報と「Ａ放送局」とを比較し、「Ａ放送局」に紐付けられたＶＯＤコンテンツ特定データ６０４（ＶＯＤコンテンツ情報「お昼のニュース」とＶＯＤコンテンツのＵＲＬ情報「ｈｔｔｐ：／／ＸＸＸＸ」、ＶＯＤコンテンツ情報「連続テレビ番組」とＶＯＤコンテンツのＵＲＬ情報「ｈｔｔｐ：／／ＸＸＹＹ」、ＶＯＤコンテンツ情報「クッキング」とＶＯＤコンテンツのＵＲＬ情報「ｈｔｔｐ：／／ＸＸＸＹ」を含む）をＶＯＤ検索結果としてＴＶ受信装置１００の通信部１０５へ送信する。
【００３８】
これに対して、ＶＯＤ検索要求コマンドに含まれる放送局情報が動画配信サーバ情報６００に含まれる放送局情報６０１に含まれていない場合は（ステップＳ１５０３で「ＮＯ」）、ＶＯＤコンテンツのＵＲＬ情報６０３に記載された次の検索先の個別ＶＯＤサーバのＵＲＬ情報をＶＯＤ検索結果として通信部３１１を介してＴＶ受信装置１００の通信部１０５へ送信する（ステップＳ１５０５）。例えば、ＴＶ受信装置１００において現在視聴中の番組が「Ｚ放送局」の番組である場合は、ＵＲＬ解析部３１２には、ＶＯＤ検索要求コマンドとして「Ｚ放送局」の放送局情報を含むＨＴＴＰコマンドが入力される。ＵＲＬ解析部３１２は、動画配信サーバ情報６００に含まれる放送局情報と「Ｚ放送局」とを比較し、動画配信サーバ情報６００には放送局情報６０１として「Ｚ放送局」がないため、ＵＲＬ情報６０５（個別ＶＯＤサーバのＵＲＬ情報「ｈｔｔｐ：／／個別ＶＯＤサーバのＵＲＬ」）をＶＯＤ検索結果として通信部１０５へ送信する。ここで、動画配信サーバ情報６００において、個別ＶＯＤサーバのＵＲＬ情報を含むＶＯＤコンテンツのＵＲＬ情報６０３に対応する放送局情報６０１には、例えば、特殊なＩＤが設定されており、これにより放送局情報がないと判断した場合の処理がスムーズに実行できる。
【００３９】
上述の図４、図５に示すＶＯＤコンテンツ検索処理を実行することにより、ＴＶ受信装置１００の表示部１０４に図７に示すＶＯＤコンテンツ一覧表示画面７００が表示される。ＶＯＤコンテンツ一覧表示画面７００は、ＶＯＤコンテンツのプレビュー映像７０１とＶＯＤコンテンツ情報７０２から構成され、入力装置２００の操作によってプレビュー映像７０１またはＶＯＤコンテンツ情報７０２を選択決定することにより、所望のＶＯＤコンテンツに対するＶＯＤ送信要求を送信できる。なお、本実施の形態ではプレビュー映像７０１を表示しているが、これはサムネイル画像であってもよい。これらの画像情報は、ＶＯＤ検索結果として送信するＶＯＤコンテンツ特定データに含まれてもよいし、ＴＶ受信装置１００の記憶部１０３に予め記憶しておいた画像情報であってもよい。
【００４０】
制御部１０２は、ＶＯＤコンテンツ一覧表示画面７００での選択決定操作によって、入力部１０６を介して所望のＶＯＤコンテンツに対するＶＯＤ送信要求が入力された場合は、ＶＯＤ送信要求コマンドとして対応するＶＯＤコンテンツのＵＲＬ情報を、通信部１０５を介して動画配信サーバ３２０の通信部３２１に送信する。動画配信サーバ３２０の配信制御部３２２は、ＵＲＬ情報で特定されるＶＯＤコンテンツをＶＯＤコンテンツ記憶部３２３から取得し、通信部３２１を介してＴＶ受信装置１００の通信部１０５へ送信する。これにより、制御部１０２は、動画配信サーバ３２０から受信されたＶＯＤコンテンツを表示部１０４、音声出力部（図示せず）で再生することができる。
【００４１】
なお、本実施の形態では、統括ＶＯＤサーバ３００、個別ＶＯＤサーバ１（４００）〜個別ＶＯＤサーバＮ（５００）のいずれかから、ＴＶ受信装置１００において現在視聴中の番組に関連したＶＯＤコンテンツの番組情報データのみを提供しているが、ＶＯＤコンテンツ以外に現在視聴中の番組に関連したデジタル放送番組についても提供してもよい。このようにすれば、インターネット経由で再生するＶＯＤコンテンツ以外にデジタル放送信号として受信する放送コンテンツ（リアルタイムコンテンツまたは将来コンテンツ）についてもシームレスに検索することができる。
【００４２】
また、本実施の形態では、入力装置２００のＶＯＤ起動キー２０１操作によりＶＯＤ検索要求を行っているが、ＶＯＤ起動キー２０１のような専用キーを設けず、既存キー（例えばネットキー）と処理を併用する場合は、例えば、現在視聴中の番組に番組バナーが表示されている間に既存キーが押下されたときはＶＯＤ検索要求を入力して現在視聴中の番組に関連したＶＯＤコンテンツの検索処理を実行し、現在視聴中の番組に番組バナーが表示されていないときに既存キーが押下されたときは、既存キーに予め割り当てられた処理（既存キーがネットキーの場合は現在視聴中の番組に関係なく全てのＶＯＤコンテンツを検索できるトップ画面の表示処理）に移行してもよい。
【００４３】
更に、本実施の形態では、統合ＶＯＤサーバ３００の中に動画配信サーバ３２０が含まれているが、統合ＶＯＤサーバ３００の外部に動画配信サーバ３２０が配置された構成であっても良い。統合ＶＯＤサーバ３００と動画配信サーバ３２０とは、無線または有線のネットワークを介して相互通信可能に接続されていればよい。
【００４４】
更に、本実施の形態では、コンテンツ表示装置がＴＶ受信装置１００である場合を例として説明したが、コンテンツ表示装置は、携帯電話機、スマートフォン、タブレットコンピュータ、パーソナルコンピュータ、カーナビゲーション端末など、プロセッサと、メモリと、入力デバイスと、表示画面と、音声出力部と、通信インタフェースとを備えたものであれば何でも良い。制御部１０２の機能は、プロセッサがメモリ上に展開されたプログラムを実行することによって実現可能である。
【００４５】
更に、本実施の形態では、Ｎ台の個別ＶＯＤサーバ１（４００）〜個別ＶＯＤサーバＮ（５００）を備えたコンテンツ提供システムを例示したが、個別ＶＯＤサーバの数は１台以上の任意である。
【００４６】
更に、本実施の形態において、統括ＶＯＤサーバ３００及び個別ＶＯＤサーバが提供するＶＯＤサービスのプロトコルは同一でも良いし、異なっていても良い。本発明に係るコンテンツ提供システムでは、最初にコンテンツ表示装置がアクセスする統括ＶＯＤサーバが、コンテンツ表示装置からのＶＯＤ検索要求に応答して、他の個別ＶＯＤサーバへのアクセス先ＵＲＬを返信することができるため、統括ＶＯＤサーバ３００及び個別ＶＯＤサーバのＶＯＤプロトコルの違いにかかわらず、ＶＯＤコンテンツの検索が可能となる。更に、本実施の形態において、ＴＶ受信装置１００から放送局情報を含むＶＯＤ検索要求コマンドを統括ＶＯＤサーバ３００または個別ＶＯＤサーバに送信しているが、放送局情報を含む視聴中の番組情報をＶＯＤ検索要求コマンドに含めて送信するようにしてもよい。また、例えば、視聴中の番組のジャンル等の情報もＶＯＤ検索要求コマンドに含めてもよい。視聴中の番組のジャンル等の情報をＶＯＤ検索要求コマンドに含めることで、ＶＯＤコンテンツ特定データをジャンル等の情報に基づいてフィルタリングし、よりユーザに有益なＶＯＤコンテンツを提供することができる。
【産業上の利用可能性】
【００４７】
本発明によれば、視聴中の番組情報を含むＶＯＤ検索要求を所定の１のサーバに送信するだけで、所定の１のサーバ以外のサーバにおいても、容易に視聴中の番組に関連するＶＯＤコンテンツを検索することができるので、複数のＶＯＤサーバに接続可能な表示装置を有するすべてのＡＶ機器に有用である。
【符号の説明】
【００４８】
１００    ＴＶ受信装置
２００    入力装置
２０１    ＶＯＤ起動キー
３００    統括ＶＯＤサーバ
３１０、４１０、５１０    コンテンツ管理サーバ
３２０、４２０、５２０    動画配信サーバ
４００    個別ＶＯＤサーバ１
５００    個別ＶＯＤサーバＮ
【図１】
2012222808.tif 000003
【図２】
2012222808.tif 000004
【図３】
2012222808.tif 000005
【図４】
2012222808.tif 000006
【図５】
2012222808.tif 000007
【図６】
2012222808.tif 000008
【図７】
2012222808.tif 000009